(57)【要約】      （修正有）【課題】多項目の検体検査に供することができる十分な量の血液サンプルなど生体試料を、一度の生体試料の採取により得ることができる生体試料吸収体を提供する。【解決手段】生体試料吸収体２０は、台紙２２と、当該生体試料を吸収し保持するための長尺状吸収部２４と、当該長尺状吸収部２４に連結するとともに台紙２２の表面に固定されている吸収部連結部２６とを有し、当該長尺状吸収部２４は、生体試料吸収材料で構成され、当該長尺状吸収部２４の厚みが０．４ｍｍ以上有し、かつ台紙２２の表面に固定されていない。【選択図】図２
0003222490.tif 000002
【実用新案登録請求の範囲】
【請求項１】
検体検査に供する生体試料を吸収および保持するための生体試料吸収体であって、
台紙（Ａ）と、当該生体試料を吸収し保持するための長尺状吸収部（Ｂ）と、当該吸収部（Ｂ）に連結するとともに前記台紙（Ａ）の表面に固定されている吸収部連結部（Ｃ）とを有し、
当該長尺状吸収部（Ｂ）は、生体試料吸収材料で構成され、当該長尺状吸収部（Ｂ）の厚みが0.4ｍｍ以上有し、かつ前記台紙（Ａ）の表面に固定されていないことを特徴とする生体試料吸収体。
【請求項２】
前記長尺状吸収部（Ｂ）の厚みが0.5ｍｍ〜0.8ｍｍであることを特徴とする請求項１に記載の生体試料吸収体。
【請求項３】
前記長尺状吸収部（Ｂ）の生体試料吸収材料が、濾紙、和紙、不織布および織布からなる群から選択される少なくとも１つであることを特徴とする請求項１又は２に記載の生体試料吸収体。
【考案の詳細な説明】
【技術分野】
【０００１】
本考案は、検体検査に供する血液などの生体試料を吸収および保持するための生体試料吸収体に関し、具体的には、多項目の検体検査（特に、多項目の性行為感染症等の検査）に供することができる十分な量の生体試料を吸収・保持することができる生体試料吸収体に関する。
【背景技術】
【０００２】
性行為感染症（ＳＴＤ：ｓｅｘｕａｌｌｙ  ｔｒａｎｓｍｉｔｔｅｄ  ｄｉｓｅａｓｅs）などの感染予防および適切な治療を行うために検体検査が行われるが、それに先立って、検査材料（試料）として被験者の血液などの生体試料を採取する必要がある。通常、被験者はランセットなどの採血器具を用いて、血行をよくした指先を穿孔し、指先に十分な量の血液をためた上で、図１に示されるような濾紙製の血液試料吸収体１０おける血液吸収部１２に血液を吸収・保持させる。次いで、血液を吸収・保持している血液吸収部１２を乾燥させた後、血液試料吸収体１２は、パンチャーなどを用いて切り抜かれて検体検査に供される。このような血液試料吸収体は、たとえば非特許文献１などに開示されている。
【先行技術文献】
【非特許文献】
【０００３】
【非特許文献１】株式会社ＧＭＥウェブサイト（ｈｔｔｐｓ：／／ｗｗｗ．ｇｍｅ．ｃｏ．ｊｐ／ｍｅｔｈｏｄ−ｉｍｇ／）
【考案の概要】
【考案が解決しようとする課題】
【０００４】
しかしながら、従来の血液試料吸収体における血液吸収部は主に濾紙などで構成されているため血液を迅速に吸収することができるものの、多項目の検体検査においては、十分な量の血液量を吸収・保持できないことがあった。また、パンチャーや切り抜き台などを用いて円形の血液吸収部を切り抜く必要があり、作業性が劣るという問題点もあった。そのため、一度の検査で、多項目の病気や感染の有無を、精度良く検出することができず、再度、被験者に血液採取を強いることになり、被験者の負担が大きいものであった。
【０００５】
本考案者は、このような従来の改善すべき点を鋭意検討した結果、生体試料吸収材料で構成された生体試料吸収部の厚みを所定値以上に選択し、生体試料吸収部の形状を長尺状にすることによって、従来の課題を解決できることを見出した。
【０００６】
すなわち、本考案は、多項目の検体検査に供することができる十分な量の生体試料（血液サンプル等）を、一度の生体試料の採取（長尺状吸収体への生体試料の吸収）により得ることができる生体試料吸収体を提供することを目的とする。
【課題を解決するための手段】
【０００７】
本考案に係る生体試料吸収体は、具体的には、以下のとおりである。
［１］  検体検査に供する生体試料を吸収および保持するための生体試料吸収体であって、台紙（Ａ）と、当該生体試料を吸収し保持するための長尺状吸収部（Ｂ）と、当該吸収部（Ｂ）に連結するとともに前記台紙（Ａ）の表面に固定されている吸収部連結部（Ｃ）とを有し、当該長尺状吸収部（Ｂ）は、生体試料吸収材料で構成され、当該長尺状吸収部（Ｂ）の厚みが０．４ｍｍ以上有し、かつ前記台紙（Ａ）の表面に固定されていないことを特徴とする生体試料吸収体。
［２］  前記長尺状吸収部（Ｂ）の厚みが０．５ｍｍ〜０．８ｍｍであることを特徴とする［１］に記載の生体試料吸収体。
［３］  前記長尺状吸収部（Ｂ）の生体試料吸収材料が、濾紙、和紙、不織布および織布からなる群から選択される少なくとも１つであることを特徴とする［１］又は［２］に記載の生体試料吸収体。
【考案の効果】
【０００８】
本考案にかかる生体試料吸収体によれば、多項目の検体検査に供することができる十分な量の生体試料（血液サンプル等）を、一度の生体試料の採取（長尺状吸収体への生体試料の吸収）により得ることができる。そのため、本考案にかかる生体試料吸収体を用いた検体検査では、一度の検査で、多項目の病気や感染の有無を精度良く検出することができるとともに、生体試料量の不足による再度の生体試料の採取と再検査という被験者の負担を軽減することができる。
【図面の簡単な説明】
【０００９】
【図１】図１は、従来の血液試料吸収体を示すための図面である。
【図２】図２（Ａ）および（Ｂ）は、それぞれ本考案にかかる生体試料吸収体の上面図およびＣ−Ｃ′断面図である。
【図３】図３（Ａ）は、台紙（Ａ）に折目線が付された生体試料吸収体を示すための上面図である。また、図３（Ｂ）は、このような生体試料吸収体において、長尺状吸収部（Ｂ）に採取した（吸収された）生体試料を乾燥する方法を示すための図である。
【図４】図４（Ａ）は、挿入スリットを有する生体試料吸収体を示すための断面図である。また、図４（Ｂ）は、台紙（Ａ）の端部を挿入スリットに挿入させて長尺状吸収部（Ｂ）を収容する方法を示すための断面図である。
【考案を実施するための形態】
【００１０】
本考案にかかる生体試料吸収体について、適宜図面を参照しながら詳細に説明する。本考案に係る「生体試料吸収体」とは、検体検査に供する血液などの生体試料を吸収および保持するためのものであって、具体的には、検体検査に先立って、被験者の生体試料を吸収（採取）し、検体検査まで保持するために使用されるものである。
【００１１】
「検体検査」としては、被験者の血液などの生体試料を検査することにより感染や病気を検出するための検査であれば特に限定されないが、たとえば、性行為感染症検査などが挙げられる。より具体的には、梅毒、Ｂ型肝炎、Ｃ型肝炎、HIV、クラミジア、トリコモナス、カンジダ、性器ヘルペス、淋病、尖圭コンジローマ、雑菌性尿道炎などの性行為感染症の検出を目的とした性行為感染症検査が挙げられる。また、本考案に係る生体試料吸収体は、多項目の検体検査に供することができる十分な量の生体試料（血液サンプル等）を一度の生体試料の採取（長尺状吸収体への生体試料の吸収）により得ることができることを考慮すると、上記性行為感染症のうち、複数の感染・病気を検出するための検査（多項目検査）に供されることが好ましい。
【００１２】
また、「生体試料」とは、検体検査に供する被験者の液状の生体試料であれば特に限定されないが、たとえば、血液、尿、唾液、涙液、下痢便等が挙げられる。なお、血液試料は、通常、ランセットなどの採血器具を用いて穿孔された被験者の指先から得られたものであるが、特に限定されない。
【００１３】
本考案にかかる生体試料吸収体は、図２（Ａ）および（Ｂ）の付番２０に示されるように、少なくとも、台紙（Ａ）２２と長尺状吸収部（Ｂ）２４と吸収部連結部（Ｃ）２６とを有し、必要に応じて任意の部材を有していてもよい。
【００１４】
１．台紙（Ａ）
図２（Ａ）のＣ−Ｃ′断面図である図２（Ｂ）に示されるように  台紙（Ａ）２２の表面には、後述する吸収部連結部（Ｃ）２６が固定されている一方で、長尺状吸収部（Ｂ）２４に固定（接着など）されていない。
【００１５】
台紙（Ａ）の材質は特に限定されないが、たとえば、紙、プラスチックフィルムなどが挙げられる。また、血液サンプルなどの生体試料が誤って台紙に付着した際に吸収されないようにするという観点からは、台紙（Ａ）の表面がプラスチックなどでラミネート加工されて防水性や撥水性が付与されていること（たとえば紙の表面（長尺状吸収部（Ｂ）が存在する側）にプラスチックフィルムが積層されてなること）が好ましい。
【００１６】
採取した血液サンプルなどの生体試料を乾燥させやすいという観点からは、図３（Ａ）の付番３２ａ、３２ｂに示されるように、台紙（Ａ）３２に折目線（山折り線や谷折り線）が施されていることが好ましい。このような構成を有することで、折り目線で台紙（Ａ）を折曲げることができ、図３（Ｂ）に示されるように、長尺状吸収部（Ｂ）に吸収された血液などの生体試料を迅速に乾燥させることができる。
【００１７】
図２の付番２２ａに示されるように、長尺状吸収部（Ｂ）に生体試料を吸収させた際に十分な生体試料量を示すための基準線が付されていることが好ましい。この基準線の位置は、必要とする生体試料量に応じて変更される。たとえば、多項目の検出を目的とするなど生体試料を多量に必要とする場合、当該基準線は図２（Ａ）においては、台紙（Ａ）の左側（すなわち、吸収部連結部（Ｃ）２６側）に位置することになる。一方、この基準線の位置は、生体試料を多量に必要としない場合、当該基準線は（Ａ）においては、台紙（Ａ）の右側（すなわち、吸収部連結部（Ｃ）が固定されている側とは反対側である台紙（Ａ）の先端部側）に位置することになる。
【００１８】
台紙（Ａ）の形状や特に限定されないが、通常、長方形状である。また、台紙（Ａ）の厚みも特に限定されないが、たとえば、生体試料を採取し（つまり、長尺状吸収部（Ｂ）に生体試料を吸収させ）、採取した生体試料を乾燥させた後、図３（Ｂ）や図４（Ａ）および（Ｂ）で示されるように台紙（Ａ）を折り曲げられる程度の厚みが好ましい。
【００１９】
２．長尺状吸収部（Ｂ）
図２の付番２４で示されるように、長尺状吸収部（Ｂ）は、長方形状（長尺状、短冊状）の形状を有しているため、検体検査の際は、ハサミ等で容易に生体試料吸収部分を切断できるなど作業性やコスト性に優れ、十分な量の生体試料を検体検査に供することができる。
【００２０】
また、長尺状吸収部（Ｂ）は、生体試料を吸収しやすいように生体試料吸収材料で構成されている。ここで、「生体試料吸収材料」とは、毛細管現象などにより、被験者の血液などの生体試料を容易に吸収し保持するできる性質のものであれば特に限定されない。たとえば、濾紙、和紙、不織布又は織布などが挙げられるが、生体試料の吸収性や入手のしやすさを考慮すると、濾紙が好ましい。
【００２１】
当該長尺状吸収部（Ｂ）の厚みは０．４ｍｍ以上であり、より好ましくは、０．５ｍｍ〜０．８ｍｍである。このような厚みにすることで、従来の薄い吸収部よりも表面積を小さくすることができ、多項目の検体検査に供することができる十分な量の生体試料（血液サンプル等）を、一度の生体試料の採取（長尺状吸収体への生体試料の吸収）により得ることができる。
【００２２】
また、生体試料を吸収・乾燥後に検体検査に供されるが、その際の取扱性がよいという観点から、図２（Ｂ）に示されるように、長尺状吸収部（Ｂ）は前記台紙（Ａ）の表面に固定されていない。また、図３（Ｂ）で示されるように、長尺状吸収部（Ｂ）が前記台紙（Ａ）の表面に固定されていないことで、長尺状吸収部（Ｂ）中の生体試料を容易に乾燥させることができる。
【００２３】
長尺状吸収部（Ｂ）の長尺方向の長さは、特に限定されないが、図４（Ｂ）で示されるように台紙（Ａ）を折り曲げた際に折目に到達しない長さであることが好ましい。
【００２４】
本考案にかかる生体試料吸収体は、少なくとも１本の長尺状吸収部（Ｂ）を有する。なお、図２で示す生体試料吸収体は、２本の長尺状吸収部（Ｂ）を有しているが、必要に応じて長尺状吸収部（Ｂ）の数を増減することができる。たとえば、長尺状吸収部（Ｂ）の数を、１〜２本、又はそれ以上とすることができる。また、２本の長尺状吸収部（Ｂ）を有する場合、１本は検体検査に供するためのものであり、もう一本は予備用としているものであってもよい。
【００２５】
３．吸収部連結部（Ｃ）
図２（Ａ）および（Ｂ）の付番２６に示されるように、吸収部連結部（Ｃ）は、長尺状吸収部（Ｂ）に連結するとともに、台紙（Ａ）の表面に固定されているものである。ここで、「長尺状吸収部（Ｂ）に連結する」とは、吸収部連結部（Ｃ）が、長尺状吸収部（Ｂ）に接着剤などで連結されている場合の他に、長尺状吸収部（Ｂ）と同一の材質で一体的に成形されている場合を含む概念である。
なお、吸収部連結部（Ｃ）は台紙（Ａ）に固定されているが、たとえば、接着剤などを介して固定されていることが挙げられる
【００２６】
また、図４（Ａ）および（Ｂ）の付番４６ａで示されるように、台紙（Ａ）を折り曲げた際に、台紙（Ａ）の先端部分４２ａが、吸収部連結部（Ｃ）４６と長尺状吸収部（Ｂ）４４との間に挿入可能な隙間構造（挿入スリット）を有することが好ましい。
【産業上の利用可能性】
【００２７】
本考案によれば、多項目の検体検査に供することができる十分な量の血液サンプル等の生体試料を、一度の生体試料の採取（長尺状吸収体への生体試料の吸収）により得ることができる生体試料吸収体を提供できる。
【符号の説明】
【００２８】
１０：従来の血液試料吸収体
１２：従来の血液試料吸収体における血液吸収部
２０、３０、４０：本考案にかかる生体試料吸収体
２２、３２、４２：台紙（Ａ）
２２ａ：  基準線
２４、３４、４４：長尺状吸収部（Ｂ）
２６、３６、４６：吸収部連結部（Ｃ）
３２ａ、３２ｂ：折目線
４２ａ：台紙（Ａ）の先端部分
４６ａ：  挿入スリット  
【図１】
0003222490.tif 000003
【図２】
0003222490.tif 000004
【図３】
0003222490.tif 000005
【図４】
0003222490.tif 000006